(57)【要約】【課題】  静電気防止対策を実現すると同時に抗ウイルス機能を持たせることができ、かつ、清潔状態を維持することができるドアノブカバーを提供する。【解決手段】  ドアノブ１０に被せる略円筒形状のドアノブカバー１であって、ドアノブ１０に被せて取り付けるための開口部２と、ドアノブ１０の取っ手部分を被覆する本体部４と、開口部２と本体部４との間に位置し、開口部２および本体部４よりも径の小さい縮径部３とを備え、本体部４および縮径部３は、制電性繊維と抗ウイルス加工が施された抗ウイルス繊維とを混合したもので編成されていることを特徴とする。【選択図】図２
0003232608.tif 000002
【実用新案登録請求の範囲】
【請求項１】
ドアノブに被せる略円筒形状のドアノブカバーであって、
ドアノブに被せて取り付けるための開口部と、
ドアノブの取っ手部分を被覆する本体部と、
開口部と本体部との間に位置し、開口部および本体部よりも径の小さい縮径部とを備え、
本体部および縮径部は、制電性繊維と抗ウイルス加工が施された抗ウイルス繊維とを混合したもので編成されている
ことを特徴とするドアノブカバー。
【請求項２】
前記本体部において抗ウイルス繊維の混合比率を前記縮径部よりも高めている
ことを特徴とする請求項１記載のドアノブカバー。
【請求項３】
前記本体部において制電性繊維の混合比率を前記縮径部よりも高めている
ことを特徴とする請求項１又は２に記載のドアノブカバー。
【請求項４】
さらに、前記縮径部は伸縮性を有する繊維を混合して編成され、伸縮性を有する繊維の比率を高めている
ことを特徴とする請求項１〜３のいずれか１項に記載のドアノブカバー。
【考案の詳細な説明】
【技術分野】
【０００１】
本考案は、ドアノブに取り付けて使用するドアノブカバーに関する。
【背景技術】
【０００２】
従来、ドアノブに取り付けて使用するドアノブカバーは、静電気を防止することを目的としてシリコンゴム製とすることが提案されていた。シリコンゴム製のドアノブカバーでは、ドアノブに取り付け難く、ドアノブ自体が太くなってしまい、手で握った感触が悪いといった問題があることから、他にも種々の提案がなされている。
【０００３】
例えば、特許文献１では、より握り心地が良く、不快な電撃感を感じることなく帯電した静電気を放電させることができるドアノブカバーとして、内部が空洞となっている持ち手部を備え、この持ち手部が、伸縮性を備え、高抵抗の導電性ゴム材から形成されているとしたドアノブカバーが開示されている。
【先行技術文献】
【特許文献】
【０００４】
【特許文献１】実用新案登録第３１８１７１３号公報
【考案の概要】
【考案が解決しようとする課題】
【０００５】
しかしながら、上記特許文献１のドアノブカバーでは、静電気防止対策としては有用性があるものの、洗濯をして清潔状態を維持することができないという問題がある。
【０００６】
ドアノブは、日常的に頻繁に触れられる箇所であり、昨今では感染症対策としてドアノブカバーにも抗菌機能や抗ウイルス機能が求められるようになっている。
【０００７】
そこで、本考案は、このような事情や問題に鑑みなされたものであり、静電気防止対策を実現すると同時に抗ウイルス機能を持たせることができ、かつ、清潔状態を維持することができるドアノブカバーを提供することを目的とする。
【課題を解決するための手段】
【０００８】
上記課題を解決するために、本考案に係るドアノブカバーは、ドアノブに被せるドアノブカバーであって、ドアノブに被せて取り付けるための開口部と、ドアノブの取っ手部分を被覆する本体部と、開口部と本体部との間に位置し、開口部および本体部よりも径の小さい縮径部とを備え、本体部および縮径部は、制電性繊維と抗ウイルス加工が施された抗ウイルス繊維とを混合したもので編成されていることを特徴とする。
【０００９】
これによれば、カバー全体が、制電性繊維と抗ウイルス繊維とを混合したもので編成されるので、カバーに静電気防止機能と抗ウイルス機能とを同時に付与することができ、また、カバー全体が繊維で構成されているので、洗濯して清潔状態を維持することも可能なドアノブカバーが実現される。
【００１０】
ここで、前記本体部において抗ウイルス繊維の混合比率を前記縮径部よりも高めているのが好ましい。
【００１１】
これによれば、手に触れる部分の抗ウイルス機能を高めることができる。
【００１２】
また、前記本体部において制電性繊維の混合比率を前記縮径部よりも高めているのが好ましい。
【００１３】
これによれば、手に触れる部分の静電気防止機能を高めることができる。
【００１４】
さらに、前記縮径部は伸縮性を有する繊維を混合して編成され、伸縮性を有する繊維の比率を高めているとしてもよい。
【００１５】
これによれば、ドアノブに取り付けたドアノブカバーの脱落を防止することができる。
【考案の効果】
【００１６】
以上のように、本考案に係るドアノブカバーによれば、静電気防止対策になると同時に抗ウイルス機能を有し、洗濯により清潔状態を維持することができるドアノブカバーを実現することができる。
【図面の簡単な説明】
【００１７】
【図１】本考案の第１実施形態のドアノブカバーを示す図である。
【図２】第１実施形態のドアノブカバーのドアノブへの取り付けを説明するための図である。
【図３】第１実施形態のドアノブカバーをドアノブへ取り付けた状態を示す図である。
【図４】本考案の第２実施形態のドアノブカバーを示す図である。
【図５】第２実施形態のドアノブカバーのドアノブへの取り付けを説明するための図である。
【図６】第２実施形態のドアノブカバーをドアノブへ取り付けた状態を示す図である。
【考案を実施するための形態】
【００１８】
以下、本考案の実施形態について図面を参照しながら説明する。
【００１９】
図１は、本考案の第１実施形態のドアノブカバーを示す図である。
【００２０】
ドアノブカバー１は、ドアノブに被せて使用するカバーであり、ドアノブへ被せる際の取付口として開口されている開口部２と、開口部２や本体部４の径よりも絞り込まれて小さい径となっている縮径部３と、ドアノブの把持部分を被覆する本体部４とを備えている。
【００２１】
ドアノブカバー１は、抗ウイルス加工が施されたアクリル繊維等を丸編みすることにより構成されており、全体は略円筒形状となっている。略円筒形状であるドアノブカバー１の一方の端部（図１の上側）は開口部２により開口されているのに対して、ドアノブカバー１の他方の端部（図１の下側）、すなわち、本体部４側の端部は閉塞されている。
【００２２】
抗ウイルス加工とは、抗ウイルス効果がある銅を繊維に含ませることをいい、この抗ウイルス加工が施された繊維（抗ウイルス繊維）を使用してドアノブカバー１を編成することで、ドアノブカバー１にウイルス不活化効果が付与される。また、ドアノブカバー１を編成する繊維として、ポリエステル、ナイロン、アクリル等の疎水性合成繊維に親水性のポリマーを練り込んだ制電性繊維を用いることで、静電気を発生させにくくしている。
【００２３】
具体的には、ドアノブカバー１は、抗ウイルス加工を施したアクリル繊維、ポリエステル繊維、ナイロンおよびポリウレタンを混合したもので編成されている。
【００２４】
開口部２は、ドアノブへ被せる際の取付口として開口されており、開口部２の縁部はウーリー糸等で熱接着により固めて型崩れしないように構成されている。
【００２５】
縮径部３は、開口部２と本体部４との間に位置し、ドアノブカバー１の全体形状として縮径部３の部分が開口部２および本体部４よりも狭くなるように構成されている。すなわち、縮径部３は、開口部２や本体部４の径よりも小さい径となっている。縮径部３を、開口部２および本体部４よりも絞り込んで小さい径とすることにより、ドアノブカバー１をドアノブに取り付けた後で、ドアノブカバー１がドアノブから外れることを防ぐことができる。そのため、縮径部３は、伸縮性を有するポリウレタン繊維の比率を高めて構成するとよい。また、縮径部３は、ドアノブカバー１をドアノブに取り付けたときに手で触る機会の少ない箇所であるので、抗ウイルス加工を施したアクリル繊維の比率を低くしてもよい。抗ウイルス加工を施したアクリル繊維は高コストにつながる傾向があるからである。
【００２６】
本体部４は、ドアノブの把持される部分、つまり、取っ手部分を被覆する。本体部４はドアノブカバー１の全体形状において最も大きな径を有している。本体部４は、ドアノブカバー１をドアノブに取り付けたときにドアノブの取っ手部分を被覆するため手で触る機会の最も多い箇所になる。そのため、本体部４では、抗ウイルス加工を施したアクリル繊維の比率を縮径部３よりも高くするのが好ましい。同様の理由で、制電性繊維の比率についても本体部４を縮径部３よりも高くするのが好ましい。
【００２７】
このように、縮径部３は伸縮性のある繊維の比率を高める一方で抗ウイルス加工を施したアクリル繊維の比率を低くし、本体部４は抗ウイルス加工を施したアクリル繊維の比率を高くして、縮径部３と本体部４とを構成する繊維の比率をそれぞれの機能に応じて異ならせるのが好ましく、図１ではその構成比率の相違を網掛けの濃淡で示している。
【００２８】
このように構成されるドアノブカバー１は、ドアノブに取り付けて使用する。
【００２９】
図２は、第１実施形態のドアノブカバーのドアノブへの取り付けを説明するための図である。
【００３０】
図２に示すように、ドアノブカバー１は、丸型のドアノブ１０の取っ手に開口部２から被せて挿入することにより取り付けられる。
【００３１】
図３は、第１実施形態のドアノブカバーをドアノブへ取り付けた状態を示す図である。
【００３２】
図３に示すように、ドアノブ１０にドアノブカバー１が取り付けられた後は、手に触れられる機会の多いドアノブ１０の取っ手全体が本体部４によって被覆され、ドアノブ１０の取っ手の付け根部分に縮径部３が位置することでドアノブ１０からドアノブカバー１が外れにくいようになっている。
【００３３】
このように、本実施形態のドアノブカバーによれば、制電性繊維と抗ウイルス繊維とを混合したものを略円筒形状に編成してカバー全体を構成しているので、静電気防止対策と同時に抗ウイルス機能をカバーに付与することができる。また、カバー全体は繊維を編成して構成されているので、洗濯により清潔状態を維持することも可能となる。
【００３４】
次に、本考案の第２実施形態のドアノブカバーについて説明する。
【００３５】
図４は、本考案の第２実施形態のドアノブカバーを示す図である。
【００３６】
ドアノブカバー５は、レバー型のドアノブに取り付けて使用するカバーであり、レバー型のドアノブに取り付けられるため、上記第１実施形態のドアノブカバー１と比べて細長い円筒形状となっている。
【００３７】
このドアノブカバー５も、開口部６と、縮径部７と、本体部８とを備えている。なお、開口部６、縮径部７および本体部８は、上記第１実施形態のドアノブカバー１のものと概ね共通するため、説明は省略する。
【００３８】
図５は、第２実施形態のドアノブカバーのドアノブへの取り付けを説明するための図であり、図６は、第２実施形態のドアノブカバーをドアノブへ取り付けた状態を示す図である。
【００３９】
図５に示すように、ドアノブカバー５は、レバー型のドアノブ１１の取っ手（レバー）に開口部６から被せて挿入することにより取り付けられる。
【００４０】
図６は、第２実施形態のドアノブカバーをドアノブへ取り付けた状態を示す図である。
【００４１】
図６に示すように、ドアノブ１１にドアノブカバー５が取り付けられた後は、手に触れられる機会の多いドアノブ１１の取っ手の先端から中央付近までが本体部８によって被覆され、ドアノブ１１の取っ手の付け根部分に縮径部７が位置することでドアノブ１１からドアノブカバー５が外れにくいようになっている。なお、レバー型のドアノブカバー１１では、取っ手の付け根から先端までが引っ掛かりの少ない平行な形状であることが多いため、第２実施形態における縮径部７は、上記第１実施形態のドアノブカバーに比べて伸縮性の高い繊維の比率を高めるように構成するのが好ましい。縮径部７の締め付けを強くして、ドアノブカバー５がドアノブ１１から抜け落ちることを防ぐためである。
【００４２】
以上、本考案に係るドアノブカバーについて、各実施の形態に基づいて説明したが本考案はこれに限定されるものではなく、本考案の目的を達成でき、かつ考案の要旨を逸脱しない範囲内で種々設計変更が可能であり、それらも全て本考案の範囲内に包含されるものである。
【００４３】
例えば、上記実施の形態では、ドアノブカバーを丸編みで編成するものとして説明したが、手袋等の編成に用いられる横編みを用いるとしてもよく、その他の編成方法であってもよい。
【００４４】
また、上記実施の形態では、静電気対策として、疎水性合成繊維に親水性のポリマーを練り込んだ制電性繊維を用いるとしたが、制電性繊維として合成繊維ではなく天然繊維を用いるとしてもよい。
【産業上の利用可能性】
【００４５】
本考案は、ドアノブに取り付けて使用するドアノブカバーとして有用である。
【符号の説明】
【００４６】
１，５      ドアノブカバー
２，６      開口部
３，７      縮径部
４，８      本体部
１０，１１  ドアノブ
【図１】
0003232608.tif 000003
【図２】
0003232608.tif 000004
【図３】
0003232608.tif 000005
【図４】
0003232608.tif 000006
【図５】
0003232608.tif 000007
【図６】
0003232608.tif 000008